(57)【要約】【課題】電池の外部端子と端子接続部材との接続信頼性の向上を図る技術を提供する。【解決手段】組電池１０は、筐体に設けられた正極端子５０および負極端子６０を含む外部端子を有する複数の電池３０と、隣接する２つの電池３０の外部端子同士を電気的に接続するためのバスバー４０と、を備える。外部端子とバスバー４０とは、外部端子とバスバー４０とが重畳する重畳領域Ｒａと、外部端子が露出する露出領域Ｒｂ１，Ｒｂ２との境界部分が溶接されている。【選択図】図１
2012160339.tif 000002
【特許請求の範囲】
【請求項１】
筐体に設けられた外部端子を有する複数の電池と、
隣接する２つの電池の外部端子同士を電気的に接続するための端子接続部材と、を備え、
前記外部端子と前記端子接続部材とは、前記外部端子と前記端子接続部材とが重畳する領域と、前記外部端子および前記端子接続部材のいずれか一方が露出する領域との境界部分が溶接されていることを特徴とする組電池。
【請求項２】
前記外部端子および前記端子接続部材は、平板部を有し、両者の前記平板部の主表面同士が接するように重ね合わされている請求項１に記載の組電池。
【請求項３】
前記溶接された境界部分が直線状である請求項１または２に記載の組電池。
【請求項４】
異なる電池間で、前記溶接された境界部分が略同一直線上にある請求項１乃至３のいずれか１項に記載の組電池。
【請求項５】
前記外部端子または前記端子接続部材は、貫通孔を有し、
前記露出する領域は、前記貫通孔内に位置し、
前記貫通孔の内壁と前記露出する領域との境界部分が溶接されている請求項１乃至４のいずれか１項に記載の組電池。
【請求項６】
前記溶接された境界部分は円形である請求項５に記載の組電池。
【請求項７】
前記外部端子は、電池の筐体との間に空間が形成されるように延在し、
前記端子接続部材は、前記空間に配置されて前記外部端子と前記筐体とに挟まれている請求項１乃至６のいずれか１項に記載の組電池。
【請求項８】
前記外部端子は、隣接する電池の方向に突出し、
前記外部端子の突出した部分に、当該部分を挟むように２つの端子接続部材が溶接されている請求項１乃至７のいずれか１項に記載の組電池。
【請求項９】
電池の外部端子と、隣接する２つの電池の外部端子同士を電気的に接続するための端子接続部材とを接続する電池接続方法であって、
前記外部端子と前記端子接続部材とが重畳する領域と、前記外部端子および前記端子接続部材のいずれか一方が露出する領域との境界部分のうち溶接すべき境界部分が、異なる電池間で略同一直線上に並ぶように、複数の前記外部端子と前記端子接続部材とを重ね合わせ、
前記境界部分が並ぶ直線に沿って溶接機の溶接ヘッドを走査して、当該直線上に位置する境界部分を溶接することを特徴とする電池接続方法。
【請求項１０】
前記境界部分が並ぶ直線を複数形成し、
同じ直線を２回以上走査する場合に、前記溶接ヘッドを１つの直線に沿って走査した後、少なくとも１つの他の直線に沿って走査し、再度前記１つの直線に沿って走査する請求項９に記載の電池接続方法。
【請求項１１】
前記溶接すべき境界部分は、直線状であり、
異なる電池間で、前記溶接すべき境界部分の全体が略同一直線上に並ぶ請求項９または１０に記載の電池接続方法。
【発明の詳細な説明】
【技術分野】
【０００１】
本発明は、組電池および電池接続方法に関する。
【背景技術】
【０００２】
一般に、複数の電池が接続されてなる組電池では、隣接する電池の一方の正極端子と他方の負極端子とが端子接続部材としてのバスバーで直列接続されている。正極端子および負極端子を含む外部端子とバスバーとの接続構造としては、バスバーに設けられた開口に外部端子を挿入して、外部端子の先端に固定用ねじを螺合することで外部端子とバスバーとを接続する構造が知られている（特許文献１参照）。
【先行技術文献】
【特許文献】
【０００３】
【特許文献１】特開２０１０−２８７４０８号公報
【発明の概要】
【発明が解決しようとする課題】
【０００４】
上述した従来の構造のように、外部端子とバスバーとをねじ止め固定した場合、固定用ねじの締め付けが弛む可能性があった。そのため、外部端子とバスバーの接続信頼性の向上を図る上で改善の余地があった。
【０００５】
本発明はこうした課題に鑑みてなされたものであり、その目的は、電池の外部端子と端子接続部材との接続信頼性の向上を図る技術の提供にある。
【課題を解決するための手段】
【０００６】
本発明のある態様は、組電池である。当該組電池は、筐体に設けられた外部端子を有する複数の電池と、隣接する２つの電池の外部端子同士を電気的に接続するための端子接続部材と、を備え、外部端子と端子接続部材とは、外部端子と端子接続部材とが重畳する領域と、外部端子および端子接続部材のいずれか一方が露出する領域との境界部分が溶接されていることを特徴とする。
【０００７】
この態様によれば、電池の外部端子と端子接続部材との接続信頼性の向上を図ることができる。
【０００８】
上述した態様において、外部端子および端子接続部材は、平板部を有し、両者の平板部の主表面同士が接するように重ね合わされてもよい。
【０００９】
上述したいずれかの態様において、溶接された境界部分が直線状であってもよい。
【００１０】
上述したいずれかの態様において、異なる電池間で、溶接された境界部分が略同一直線上にあってもよい。
【００１１】
上述したいずれかの態様において、外部端子または端子接続部材は、貫通孔を有し、露出する領域は、貫通孔内に位置し、貫通孔の内壁と露出する領域との境界部分が溶接されてもよい。また、この態様において、溶接された境界部分は円形であってもよい。
【００１２】
上述したいずれかの態様において、外部端子は、電池の筐体との間に空間が形成されるように延在し、端子接続部材は、空間に配置されて外部端子と筐体とに挟まれてもよい。
【００１３】
上述したいずれかの態様において、外部端子は、隣接する電池の方向に突出し、外部端子の突出した部分に、当該部分を挟むように２つの端子接続部材が溶接されてもよい。
【００１４】
本発明のある態様は、電池接続方法である。当該電池接続方法は、電池の外部端子と、隣接する２つの電池の外部端子同士を電気的に接続するための端子接続部材とを接続する電池接続方法であって、外部端子と端子接続部材とが重畳する領域と、外部端子および端子接続部材のいずれか一方が露出する領域との境界部分のうち溶接すべき境界部分が、異なる電池間で略同一直線上に並ぶように、複数の外部端子と端子接続部材とを重ね合わせ、境界部分が並ぶ直線に沿って溶接機の溶接ヘッドを走査して、当該直線上に位置する境界部分を溶接することを特徴とする。
【００１５】
上述した態様において、境界部分が並ぶ直線を複数形成し、同じ直線を２回以上走査する場合に、溶接ヘッドを１つの直線に沿って走査した後、少なくとも１つの他の直線に沿って走査し、再度前記１つの直線に沿って走査してもよい。
【００１６】
上述したいずれかの態様において、溶接すべき境界部分は、直線状であり、異なる電池間で、溶接すべき境界部分の全体が略同一直線上に並んでもよい。
【発明の効果】
【００１７】
本発明によれば、電池の外部端子と端子接続部材との接続信頼性の向上を図る技術を提供することができる。
【図面の簡単な説明】
【００１８】
【図１】図１（Ａ）は、実施形態１に係る組電池の概略構造を示す平面図である。図１（Ｂ）は、図１（Ａ）におけるＡ−Ａ線に沿った断面図である。図１（Ｃ）は、実施形態１に係る組電池の概略構造を示す斜視図である。
【図２】電池の概略構造を示す断面図である。
【図３】実施形態１に係る電池接続方法を説明するための模式図である。
【図４】図４（Ａ）は、実施形態２に係る組電池の概略構造を示す平面図である。図４（Ｂ）は、図４（Ａ）におけるＢ−Ｂ線に沿った断面図である。図４（Ｃ）は、実施形態２に係る組電池の概略構造を示す斜視図である。
【図５】図５（Ａ）は、実施形態３に係る組電池の概略構造を示す平面図である。図５（Ｂ）は、図５（Ａ）におけるＣ−Ｃ線に沿った断面図である。図５（Ｃ）は、図５（Ａ）におけるＤ−Ｄ線に沿った断面図である。
【図６】図６（Ａ）は、実施形態４に係る組電池の概略構造を示す平面図である。図６（Ｂ）は、図６（Ａ）におけるＥ−Ｅ線に沿った断面図である。
【図７】図７（Ａ）は、外部端子とバスバーの接続部近傍の概略構造を示す平面図である。図７（Ｂ）は、図７（Ａ）におけるＦ−Ｆ線に沿った断面図である。
【発明を実施するための形態】
【００１９】
以下、本発明の実施形態を図面を参照して説明する。なお、すべての図面において、同様な構成要素には同様の符号を付し、適宜説明を省略する。
【００２０】
（実施形態１）
図１（Ａ）は、実施形態１に係る組電池の概略構造を示す平面図である。図１（Ｂ）は、図１（Ａ）におけるＡ−Ａ線に沿った断面図である。図１（Ｃ）は、実施形態１に係る組電池の概略構造を示す斜視図である。なお、図１（Ｂ）では、電池３０の筐体内部の図示を省略する。
【００２１】
図１（Ａ）〜図１（Ｃ）に示すように、組電池１０は、複数の電池３０と、これらの電池３０を接続するバスバー４０（端子接続部材）とを有する。本実施形態では、計５個の電池３０が直列に接続されて組電池１０が形成されている。なお、電池３０の数は特に限定されない。また、５つの電池３０全てが直列に接続されているが、一部が並列に接続されていてもよい。
【００２２】
５個の電池３０は、平面視で電池３０の長手方向の辺が対向して略平行となるように所定の間隔で並設されている。電池３０の筐体上面には、長手方向の一端寄りに正極端子５０が設けられ、他端寄りに負極端子６０が設けられている。以下では適宜、正極端子５０および負極端子６０を併せて外部端子と称する。隣接する電池３０の正極端子５０および負極端子６０は、互いに反対側になるように配列されている。隣接する２つの電池３０の一方の負極端子６０と他方の正極端子５０とがバスバー４０により電気的に接続されて、５個の電池３０が直列接続されている。
【００２３】
電池３０は、ハウジング（図示せず）内に収容されて外部環境から保護される。電池３０の直列接続の一方の終端となる負極端子６０’および他方の終端となる正極端子５０’は、ハウジングの外部に引き回される配線を介して外部負荷（ともに図示せず）と接続可能になっている。
【００２４】
図２は、電池の概略構造を示す断面図である。図２に示すように、電池３０は、外装缶（筐体）３１内に、正負極が渦巻状に巻回されてなる電極体３２が外装缶３１の缶軸方向に対し横向きに収納されている。外装缶３１の開口は、筐体の一部を構成する封口板３３により封口されている。封口板３３には、平板部５０ａ，６０ａと当該平板部５０ａ，６０ａの一方の主表面から突出する突起部５０ｂ，６０ｂとを有する正極端子５０および負極端子６０が設けられている。また、封口板３３には、ガス排出弁（図示せず）が形成されている。
【００２５】
正極端子５０の突起部５０ｂは、側面にガスケット３４が当接した状態で、封口板３３の正極用開口３３ａに嵌め込まれている。また、突起部５０ｂは、封口板３３の電池内側において正極タブ部材５３と接続している。なお、突起部５０ｂの先端には、正極用開口３３ａに沿って側壁が形成されるような凹部５１が設けられている。凹部５１の縁部分が広がるようにかしめることで、正極端子５０が正極タブ部材５３に対して固定されている。
【００２６】
正極タブ部材５３と封口板３３の電池内側面との間には、絶縁板３５が設けられている。正極用開口３３ａにおいて、絶縁板３５とガスケット３４とが当接している。これにより、正極タブ部材５３および正極端子５０が封口板３３から絶縁されている。正極タブ部材５３は、電極体３２の一方の端面から突出した正極集電板群３２ａに接続されている。なお、正極集電板群３２ａは、電極体３２の一方の端面から突出した複数の正極集電板を束ねたものである。
【００２７】
負極端子６０の突起部６０ｂは、側面にガスケット３４が当接した状態で、封口板３３の負極用開口３３ｂに嵌め込まれている。また、突起部６０ｂは、封口板３３の電池内側において負極タブ部材６２と接続している。なお、突起部６０ｂの先端には、負極用開口３３ｂに沿って側壁が形成されるような凹部６１が設けられている。凹部６１の縁部分が広がるようにかしめることで、負極端子６０が負極タブ部材６２に対して固定されている。
【００２８】
負極タブ部材６２と封口板３３の電池内側面との間には、絶縁板３５が設けられている。負極用開口３３ｂにおいて、絶縁板３５とガスケット３４とが当接している。これにより、負極タブ部材６２および負極端子６０が封口板３３から絶縁されている。負極タブ部材６２は、電極体３２の他方の端面から突出した負極集電板群３２ｂに接続されている。なお、負極集電板群３２ｂは、電極体３２の他方の端面から突出した複数の負極集電板を束ねたものである。
【００２９】
平板部５０ａ，６０ａは、その主表面が封口板３３の表面に沿うように配置されている。本実施形態では、突起部５０ｂ，６０ｂが突出する側の平板部５０ａ，６０ａ主表面が封口板３３の表面に当接している。
【００３０】
バスバー４０は、平板状の平板部を有する。本実施形態では、バスバー４０は、帯状の形状を有し、したがって全体が平板部となっている。そして、正極端子５０とバスバー４０、負極端子６０とバスバー４０は、それぞれ両者の平板部の主表面同士が接するように重ね合わされている。外部端子は、バスバー４０の長手方向に垂直な方向の長さが、バスバー４０の幅よりも大きい。そのため、平面視でバスバー４０の側壁が平板部５０ａ，６０ａの主表面上に位置している。
【００３１】
したがって、正極端子５０上には、正極端子５０とバスバー４０とが重畳する重畳領域Ｒａと、正極端子５０が露出する露出領域Ｒｂ１，Ｒｂ２とが形成されている。同様に、負極端子６０上には、負極端子６０とバスバー４０とが重畳する重畳領域Ｒａと、負極端子６０が露出する露出領域Ｒｂ１，Ｒｂ２とが形成されている。重畳領域Ｒａを挟んで、電池３０の外側に露出領域Ｒｂ１が形成され、電池３０の中心側に露出領域Ｒｂ２が形成される。
【００３２】
そして、重畳領域Ｒａと、露出領域Ｒｂ１，Ｒｂ２との境界部分７０が、レーザー溶接等の溶接方法によって溶接されている。これにより、外部端子とバスバー４０とが固定されている。このように、外部端子とバスバー４０とを溶接により固定することで、外部端子とバスバーとをねじ止め固定していた従来の構造に比べて、両者の接続信頼性を向上させることができる。また、平板部５０ａ，６０ａの主表面とバスバー４０の主表面とを当接させた状態で外部端子とバスバー４０とを固定しているため、ねじ止め固定構造に比べて外部端子とバスバー４０の接続部の高さを低くすることができる。そのため、組電池１０の小型化が可能となる。
【００３３】
また、外部端子の表面に重なっているバスバー４０の側壁は、外部端子に接する側の辺が直線状である。よって、溶接された境界部分７０が直線状である。溶接すべき境界部分７０が直線状である場合、境界部分７０を溶接する際に、溶接機の溶接ヘッドを直線的に走査させればよいことになる。そのため、外部端子とバスバー４０の溶接を簡素化することができる。また、高精度な溶接が可能となる。
【００３４】
また、本実施形態では、異なる電池３０間で、溶接された境界部分７０が略同一直線上に位置している。溶接すべき境界部分７０が略同一直線上に位置する場合、溶接ヘッドの走査距離を短くすることができるため、組電池１０の製造工程の簡略化と時間の短縮が可能である。さらに、本実施形態では、溶接された境界部分７０が直線状であって、その全体が略同一直線上に配置されている。ここで、前記「略同一直線上に位置する」とは、完全に直線と一致している場合だけでなく、直線から外れていても本発明の効果を奏する範囲内に位置することを意味する。
【００３５】
上述した構成を備えた組電池１０は、例えば次のようにして製造することができる。図３は、実施形態１に係る電池接続方法を説明するための模式図である。図３に示すように、５つの電池３０が、平面視で電池３０の長手方向が略平行になるように所定の間隔で配列される。そして、４つのバスバー４０が電池３０の外部端子上に配置される。具体的には、各バスバー４０は、隣接する２つの電池３０の一方の負極端子６０上に一端側の主表面が当接し、他方の正極端子５０上に他端側の主表面が当接するように配置される。このとき、外部端子とバスバー４０とは、重畳領域Ｒａと露出領域Ｒｂ１との境界部分のうち溶接すべき境界部分７０が、異なる電池３０間で略同一直線上に並ぶように、位置合わせされて重ね合わされる。
【００３６】
続いて、溶接機の溶接ヘッド（図示せず）からレーザーＬを照射するとともに、溶接すべき境界部分７０が並ぶ直線に沿って溶接ヘッドを走査して、当該直線上に位置する境界部分７０を溶接する。複数の境界部分７０を溶接する際、特定の境界部分７０について連続して繰り返しレーザーＬを照射すると、溶接時に発生する熱によって局所的な温度上昇が起きて、電池３０が損傷するおそれが高まる。そのため、複数の境界部分７０について、段階的かつ均等に溶接を進行して、最終的に各境界部分７０の溶接を完了することが好ましい。
【００３７】
本実施形態では、複数の溶接すべき境界部分７０が略同一直線上に並んでいる。また、この境界部分７０は、直線状であり、その全体が略同一直線上に並んでいる。そのため、直線に沿って溶接ヘッドを複数回走査することで、直線上にならんだ複数の境界部分７０について、段階的かつ均等に進行させる溶接を実現することができる。
【００３８】
なお、本実施形態では、溶接すべき境界部分７０が並ぶ直線が複数形成されている。具体的には、バスバー４０を挟んで電池３０の外側寄りに形成された境界部分７０が並ぶ２本の直線と、電池３０の中心寄りに形成された境界部分７０が並ぶ２本の直線である。境界部分７０が並ぶ直線が複数形成され、かつ上述したように同じ直線を２回以上走査する場合は、溶接ヘッドを１つの直線に沿って走査した後、少なくとも１つの他の直線に沿って走査し、再度前記１つの直線に沿って走査することが好ましい。これにより、次回の溶接までの間に、前回の溶接時に生じた熱が放散されるため、局所的な温度上昇を防ぐことができる。その結果、溶接時の熱による電池３０の損傷をより確実に回避することができる。
【００３９】
本実施形態では、図３に示すように、溶接ヘッドが矢印Ｉの方向に走査された後、折り返されて矢印ＩＩの方向に走査され、続いて矢印ＩＩＩの方向、矢印ＩＶの方向に走査されて、各境界部分７０について１度目の一部分溶接が施される。そして、これが繰り返されて各境界部分７０の溶接が完了する。以上の工程により組電池１０を製造することができる。
【００４０】
以上説明したように、本実施形態に係る組電池１０では、外部端子とバスバー４０とが重畳する重畳領域Ｒａと、外部端子が露出する露出領域Ｒｂ１，Ｒｂ２との境界部分７０が溶接され、これにより外部端子と境界部分７０とが接続されている。そのため、外部端子とバスバーとをねじ止め固定していた従来の構造に比べて、両者の接続信頼性を向上させることができる。
【００４１】
また、本実施形態に係る電池接続方法では、重畳領域Ｒａと露出領域Ｒｂ１，Ｒｂ２との境界部分のうち溶接すべき境界部分７０が、異なる電池３０間で略同一直線上に並ぶように、複数の外部端子とバスバー４０とが重ね合わされている。そして、溶接すべき境界部分７０が並ぶ直線に沿って溶接ヘッドが走査されて、当該直線上に位置する境界部分７０が溶接される。溶接ヘッドが直線的に走査されて境界部分７０が溶接されるため、溶接工程を簡素化することができ、また、溶接工程にかかる時間を短くすることができる。その結果、組電池１０の製造におけるスループットを向上させることができる。
【００４２】
また、境界部分７０を溶接することで外部端子とバスバー４０とを接続しているため、外部端子とバスバー４０との位置関係は、溶接すべき境界部分７０が形成されることを満たすものであればよい。そのため、外部端子とバスバー４０の接続において要求される、電池３０における筐体に対する外部端子の位置精度、および外部端子に対するバスバー４０の位置精度を低くすることができる。その結果、組電池１０の製造工程の簡素化および時間の短縮を図ることができる。
【００４３】
（実施形態２）
実施形態２に係る組電池１０は、電池３０の配列が実施形態１に係る組電池１０と異なる。以下、本実施形態について説明する。なお、外部端子の形状を除く電池３０の主な構造と、電池接続方法は実施形態１と基本的に同一である。実施形態１と同一の構成については同一の符号を付し、その説明は適宜省略する。
【００４４】
図４（Ａ）は、実施形態２に係る組電池の概略構造を示す平面図である。図４（Ｂ）は、図４（Ａ）におけるＢ−Ｂ線に沿った断面図である。図４（Ｃ）は、実施形態２に係る組電池の概略構造を示す斜視図である。なお、図４（Ｂ）では、電池３０の筐体内部の図示を省略する。
【００４５】
本実施形態では、計８個の電池３０が接続されて組電池１０が形成されている。組電池１０は、電池３０が４個ずつ並列接続されてなる２つの並列電池ユニットが、互いに直列接続された構造を有する。並列接続される４個の電池３０は、平面視で電池３０の長手方向の辺が対向して略平行となるように所定の間隔で並設されている。２つの並列電池ユニットは、平面視で電池３０の短手方向の辺が対向して略平行となるように所定の間隔で並設されている。
【００４６】
外部端子は、電池３０の筐体との間に空間８０が形成されるように延在している。具体的には、外部端子は、筐体表面に垂直な方向に電池３０の筐体から突出する突き出し部５０ｃ，６０ｃを有し、突き出し部５０ｃ，６０ｃの先端に平板部５０ａ，６０ａが一体的に形成されている。これにより、平板部５０ａ，６０ａと電池３０の筐体との間に空間８０が形成されている。
【００４７】
空間８０は、平板部５０ａ，６０ａと、電池３０の筐体と、突き出し部５０ｃ，６０ｃとに囲まれた空間である。平板部５０ａ，６０ａは、突き出し部５０ｃ，６０ｃの先端から、平面視で電池３０の長手方向に沿って、電池３０の筐体の外側方向に向けて延在している。
【００４８】
本実施形態に係る組電池１０では、第１バスバー４０ａが、一方の並列電池ユニットの一端側に配置された負極端子６０の空間８０に挿通されている。これにより、各負極端子６０が互いに並列接続される。各電池３０において、負極端子６０と第１バスバー４０ａとが重畳する重畳領域Ｒａと、第１バスバー４０ａが露出する露出領域Ｒｂとの境界部分７０の一部は直線状であって略同一直線上に位置しており、当該境界部分７０が溶接されて各負極端子６０と第１バスバー４０ａが接続されている。
【００４９】
また、第２バスバー４０ｂが、他方の並列電池ユニットの一端側に配置された正極端子５０の空間８０に挿通されている。これにより各正極端子５０が互いに並列接続される。各電池３０において、重畳領域Ｒａと露出領域Ｒｂとの境界部分７０の一部は直線状であって略同一直線上に位置しており、当該境界部分７０が溶接されて各正極端子５０と第２バスバー４０ｂが接続されている。
【００５０】
また、第３バスバー４０ｃが、２つの並列電池ユニットそれぞれの他端側、すなわちそれぞれ他方のユニットに近い側に配置された正極端子５０の空間８０および負極端子６０の空間８０に挿通されている。これにより、２つの並列電池ユニットのうち一方のユニットを構成する電池３０の正極端子５０と、他方のユニットを構成する電池３０の負極端子６０とが直列接続されるとともに、各並列電池ユニットの他端側に配置された正極端子５０同士および負極端子６０同士が並列接続される。外部端子と第３バスバー４０ｃとの接続部においても、境界部分７０の一部は直線状であって略同一直線上に位置し、この部分が溶接されている。
【００５１】
なお、溶接された境界部分７０は、各バスバー４０の延在方向と平行に延びている。すなわち、異なる直列電池ユニット間で、溶接された境界部分７０が略同一直線上に位置している。
【００５２】
各バスバー４０は、空間８０に配置された状態で、外部端子と電池３０の筐体とに挟まれている。そのため、組電池１０の製造における電池接続工程において、電池３０に対するバスバー４０の位置を簡単に保持することができる。そのため、組電池１０の製造工程を簡素化することができる。なお、各バスバー４０は、電池３０の筐体側の表面に絶縁膜４２を有し、絶縁膜４２を介して電池３０の筐体に当接している。これにより、バスバー４０が電池３０の筐体に対して絶縁されている。
【００５３】
（実施形態３）
実施形態３に係る組電池１０は、溶接された境界部分７０の延在方向が実施形態２に係る組電池１０と異なる。以下、本実施形態について説明する。なお、実施形態１または実施形態２と同一の構成については同一の符号を付し、その説明は適宜省略する。
【００５４】
図５（Ａ）は、実施形態３に係る組電池の概略構造を示す平面図である。図５（Ｂ）は、図５（Ａ）におけるＣ−Ｃ線に沿った断面図である。図５（Ｃ）は、図５（Ａ）におけるＤ−Ｄ線に沿った断面図である。なお、図５（Ｂ）および図５（Ｃ）では、電池３０の筐体内部の図示を省略する。
【００５５】
本実施形態に係る組電池１０は、実施形態２と同様の電池３０の配列を有し、各電池３０は、実施形態２と同様に直列接続および並列接続されている。第１バスバー４０ａは、一方の側面が負極端子６０の突き出し部６０ｃに当接している。また、第１バスバー４０ａの幅は、平板部６０ａと筐体で挟まれた空間の、第１バスバー４０ａの幅方向と平行な方向の長さよりも短い。そのため、各負極端子６０と第１バスバー４０ａとにおける境界部分７０は、第１バスバー４０ａの幅方向に沿って形成される。同様に、各正極端子５０と第２バスバー４０ｂとにおける境界部分７０は、第２バスバー４０ｂの幅方向に沿って形成される。第３バスバー４０ｃは、一方の側面が正極端子５０の突き出し部５０ｃに当接し、当該側面に対向する側面は、負極端子６０の突き出し部６０ｃに当接している。
【００５６】
平面視で短手方向の辺が対向する２つの電池３０において、第１バスバー４０ａにおける境界部分７０と、第２バスバー４０ｂにおける境界部分７０と、第３バスバー４０ｃにおける境界部分７０の一部とが略同一直線上に位置しており、当該境界部分７０が溶接されて各外部端子と各バスバー４０とが接続されている。なお、溶接された境界部分７０は、各バスバー４０の延在方向に対して垂直な方向に延びている。すなわち、平面視で短手方向の辺が対向する２つの電池３０内で、溶接された境界部分７０が略同一直線上に位置している。
【００５７】
以上説明したように、本実施形態に係る組電池１０では、溶接された境界部分７０が並ぶ直線の方向が実施形態２に係る組電池１０と異なっている。すなわち、溶接された境界部分７０、言い換えれば溶接ヘッドの走査方向は、電池３０およびバスバー４０の形状、配置等に応じて適宜変更することができる。これにより、電池３０およびバスバー４０の位置精度をさらに低減したり、溶接範囲の長さを確保して接続信頼性をさらに高めることができる。
【００５８】
（実施形態４）
実施形態４に係る組電池１０は、外部端子が２つのバスバー４０で挟まれている。以下、本実施形態について説明する。なお、外部端子の形状を除く電池３０の主な構造と、電池接続方法は実施形態１と基本的に同一である。実施形態１と同一の構成については同一の符号を付し、その説明は適宜省略する。
【００５９】
図６（Ａ）は、実施形態４に係る組電池の概略構造を示す平面図である。図６（Ｂ）は、図６（Ａ）におけるＥ−Ｅ線に沿った断面図である。なお、図６（Ｂ）では、電池３０の筐体内部の図示を省略する。
【００６０】
図６（Ａ）および図６（Ｂ）に示すように、本実施形態に係る組電池１０は、平面視で長手方向の辺が対向するように並設された複数の電池３０からなる電池列を２つ備えた構造である。２つの電池列は、平面視で各列を構成する電池３０の短手方向の辺が対向するように並設されている。
【００６１】
各電池３０の外部端子は、平面視で長手方向に延びて筐体の延在範囲の外側に突出している。すなわち、各直列電池ユニットにおいて、一方の電池３０の正極端子５０は、隣接する他方の電池の方向に突出している。同様に、他方の電池３０の負極端子６０は、隣接する一方の電池の方向に突出している。そして、外部端子の突出した部分に、当該部分を挟むように２つのバスバー４０ｄおよびバスバー４０ｅが溶接されている。
【００６２】
この場合、まず、バスバー４０ｄが、２つの電池列の間における外部端子の下面側、すなわち筐体側に配置され、一方の電池列の正極端子５０と他方の電池列の負極端子６０に当接した状態とされて、台座等（図示せず）により保持される。そして、略同一直線上に並んだ境界部分７０が溶接されて、一方の電池列の正極端子５０同士が接続され、他方の電池列の負極端子６０同士が接続され、されに一方の電池列の正極端子５０と他方の電池列の負極端子６０とが接続される。次いで、バスバー４０ｅが、２つの電池列の間における外部端子の上面側に配置され、バスバー４０ｄと同様に溶接される。これにより、バスバー４０ｅによってバスバー４０ｄと同様に各外部端子が接続される。
【００６３】
以上説明したように、本実施形態に係る組電池１０において、バスバー４０ｄは、外部端子の下面側に配置されて、外部端子の突出した部分に溶接されている。バスバー４０ｅは、外部端子の上面側に配置されて、外部端子の突出した部分に溶接されている。このように、２つのバスバー４０ｄ，４０ｅで外部端子を挟むことで、バスバー４０と外部端子の接続強度を高めることができる。また、外部端子とバスバー４０との接触面積が増えるため、溶接により外部端子とバスバー４０とを接続したことで生じ得る、両者の接触抵抗のばらつきを低減することができる。
【００６４】
さらに、隣接する電池３０の方向に突出した外部端子とバスバー４０とを溶接しているため、溶接部位を電池３０の筐体から離間させることができる。これにより、溶接時の熱によって電池３０が損傷することを抑制することができる。
【００６５】
（実施形態５）
上述した実施形態１〜４では、外部端子またはバスバー４０の輪郭部分が溶接対象の主表面上に重ねられることで形成された境界部分７０を溶接しているが、境界部分７０は次のようにして形成されてもよい。以下、本実施形態について説明する。なお、電池３０の主な構造は実施形態１と基本的に同一である。実施形態１と同一の構成については同一の符号を付し、その説明は適宜省略する。
【００６６】
図７（Ａ）は、外部端子とバスバーの接続部近傍の概略構造を示す平面図である。図７（Ｂ）は、図７（Ａ）におけるＦ−Ｆ線に沿った断面図である。なお、図７（Ｂ）では、電池３０の筐体内部の図示を省略する。
【００６７】
図７（Ａ）および図７（Ｂ）に示すように、バスバー４０は、貫通孔４４を有する。そして、バスバー４０が外部端子としての正極端子５０上に配置された状態で、正極端子５０の主表面上に貫通孔４４が配置されている。そのため、露出領域Ｒｂは、貫通孔４４内に位置する。そして、貫通孔４４の内壁と露出領域Ｒｂとの境界部分７０が溶接されている。このように、バスバー４０に貫通孔４４を設け、貫通孔４４内に形成された境界部分７０を溶接することで、外部端子とバスバー４０の接続強度に等方性を持たせることができる。
【００６８】
また、本実施形態では、貫通孔４４は、円筒状であり、溶接された境界部分７０は円形である。そのため、外部端子とバスバー４０の接続強度により高い等方性を持たせることができる。なお、貫通孔４４は、円筒状に限定されるものではなく、その底面、すなわち外部端子と接する側の端部の形状が円形であればよい。
【００６９】
なお、外部端子側に貫通孔が設けられていてもよい。また、貫通孔４４内に形成された境界部分７０の溶接と、外部端子とバスバー４０の外側の輪郭部分に形成された境界部分７０の溶接とを組み合わせてもよい。これにより、外部端子とバスバー４０との接続強度を高めることができる。
【００７０】
本発明は、上述の各実施形態に限定されるものではなく、当業者の知識に基づいて各種の設計変更等の変形を加えることも可能であり、そのような変形が加えられた実施形態も本発明の範囲に含まれうるものである。
【符号の説明】
【００７１】
１０  組電池、  ３０  電池、  ４０，４０ｄ，４０ｅ  バスバー、  ４０ａ  第１バスバー、  ４０ｂ  第２バスバー、  ４０ｃ  第３バスバー、  ４４  貫通孔、  ５０  正極端子、  ５０ａ  平板部、  ６０  負極端子、  ６０ａ  平板部、  ７０  境界部分、  ８０  空間、  Ｒａ  重畳領域、  Ｒｂ，Ｒｂ１，Ｒｂ２  露出領域。
【図１】
2012160339.tif 000003
【図２】
2012160339.tif 000004
【図３】
2012160339.tif 000005
【図４】
2012160339.tif 000006
【図５】
2012160339.tif 000007
【図６】
2012160339.tif 000008
【図７】
2012160339.tif 000009